(57)【要約】【課題】端部における光量の不足を抑制可能な光源モジュールを提供する。【解決手段】光源モジュール（１００）は、基板（１１０）と、光源（１２０）とを備える。基板（１１０）には、基板（１１０）を切断するための切断部（１１２）が設けられる。例えば、切断部（１１２）は、溝、複数の貫通孔、切り欠きおよび窪みのいずれかを含んでもよい。また、基板（１１０）には、複数の光源（１２０）が一方向に配列されており、切断部（１１２）は、基板（１１０）において、基板（１１０）の端部と複数の光源（１２０）のうちの一方側の端の光源との間に位置してもよい。【選択図】図１
2020181782.tif 000002
【特許請求の範囲】
【請求項１】
少なくとも１つの基板と、
前記少なくとも１つの基板に配置された少なくとも１つの光源と
を備え、
前記基板には、前記基板を切断するための少なくとも１つの切断部が設けられる、光源モジュール。
【請求項２】
前記切断部は、溝、複数の貫通孔、切り欠きおよび窪みのいずれかを含む、請求項１に記載の光源モジュール。
【請求項３】
前記少なくとも１つの基板は、第１基板を含み、
前記第１基板には、前記少なくとも１つの光源として複数の光源が一方向に配列されており、
前記切断部は、前記第１基板において、前記第１基板の端部と前記複数の光源のうちの一方側の端の光源との間に位置する、請求項１または２に記載の光源モジュール。
【請求項４】
前記少なくとも１つの基板は、前記第１基板に隣接して配置された第２基板をさらに含み、
前記第１基板および前記第２基板には、前記複数の光源が一方向に配列されており、
前記少なくとも１つの切断部は、第１切断部と、第２切断部とを含み、
前記第１切断部は、前記第１基板において、前記第１基板の一方側の端部と前記複数の光源のうちの一方側の光源との間に位置し、
前記第２切断部は、前記第２基板において、前記第２基板の他方側の端部と前記複数の光源のうちの他方側の端の光源との間に位置する、請求項３に記載の光源モジュール。
【請求項５】
前記複数の光源のうちの一方側の光源と前記第１切断部との間の距離は、前記複数の光源のうちの他方側の光源と前記第２切断部との間の距離と等しい、請求項４に記載の光源モジュール。
【請求項６】
前記少なくとも１つの切断部は、第１切断部と、第２切断部とを含み、
前記第１基板には、前記複数の光源が一方向に配列されており、
前記第１切断部は、前記第１基板において、前記第１基板の一方側の端部と前記複数の光源のうちの一方側の光源との間に位置し、
前記第２切断部は、前記第１基板において、前記第１基板の他方側の端部と前記複数の光源のうちの他方側の光源との間に位置する、請求項３に記載の光源モジュール。
【発明の詳細な説明】
【技術分野】
【０００１】
本発明は、光源モジュールに関する。
【背景技術】
【０００２】
照明装置の一種として、複数の光源を一方向に配列した照明装置が知られている（特許文献１）。特許文献１には、複数の発光装置を長手方向に隣接して設置したライン光源装置が記載されている。特許文献１のライン光源装置では、隣接する発光装置の一方の筐体の凹部と他方の筐体の凸部とを嵌合させることにより、発光装置同士を固定している。
【先行技術文献】
【特許文献】
【０００３】
【特許文献１】特開２０１１−１６５３８７号公報
【発明の概要】
【発明が解決しようとする課題】
【０００４】
特許文献１のライン光源装置では、各発光装置は、端部の筐体部材に設けられたＬＥＤから導光体に光を発射することで光を照射する。このため、特許文献１のライン光源装置では、隣接する発光装置の境界部分から光が照射されず、発光装置の端部からの光量が不足するおそれがあった。
【０００５】
本発明は、上記課題に鑑みてなされたものであり、その目的は、端部における光量の不足を抑制可能な光源モジュールを提供することである。
【課題を解決するための手段】
【０００６】
本発明による光源モジュールは、少なくとも１つの基板と、前記少なくとも１つの基板に配置された少なくとも１つの光源とを備える。前記基板には、前記基板を切断するための少なくとも１つの切断部が設けられる。
【０００７】
ある実施形態において、前記切断部は、溝、複数の貫通孔、切り欠きおよび窪みのいずれかを含む。
【０００８】
ある実施形態において、前記少なくとも１つの基板は、第１基板を含む。前記第１基板には、前記少なくとも１つの光源として複数の光源が一方向に配列されている。前記切断部は、前記第１基板において、前記第１基板の端部と前記複数の光源のうちの一方側の端の光源との間に位置する。
【０００９】
ある実施形態において、前記少なくとも１つの基板は、第２基板をさらに含む。前記第１基板および前記第２基板には、前記少なくとも１つの光源として複数の光源が一方向に配列されている。前記少なくとも１つの切断部は、第１切断部と、第２切断部とを含む。前記第１切断部は、前記第１基板において、前記第１基板の一方側の端部と前記複数の光源のうちの一方側の光源との間に位置する。前記第２切断部は、前記第２基板において、前記第２基板の他方側の端部と前記複数の光源のうちの他方側の端の光源との間に位置する。
【００１０】
ある実施形態において、前記複数の光源のうちの一方側の光源と前記第１切断部との間の距離は、前記複数の光源のうちの他方側の光源と前記第２切断部との間の距離と等しい。
【００１１】
ある実施形態において、前記少なくとも１つの切断部は、第１切断部と、第２切断部とを含む。前記第１基板には、前記少なくとも１つの光源として複数の光源が一方向に配列されている。前記第１切断部は、前記第１基板において、前記第１基板の一方側の端部と前記複数の光源のうちの一方側の光源との間に位置する。前記第２切断部は、前記第１基板において、前記第１基板の他方側の端部と前記複数の光源のうちの他方側の光源との間に位置する。
【発明の効果】
【００１２】
本発明によれば、端部における光量の不足を抑制可能な光源モジュールを提供できる。
【図面の簡単な説明】
【００１３】
【図１】（ａ）は、本実施形態の光源モジュールの模式的な斜視図であり、（ｂ）および（ｃ）は、本実施形態の光源モジュールの模式的な平面図である。
【図２】（ａ）および（ｂ）は、本実施形態の光源モジュールの模式図であり、（ｃ）は、（ｂ）の一部拡大図である。
【図３】本実施形態の光源モジュールの模式的な分解斜視図である。
【図４】（ａ）および（ｂ）は、本実施形態の光源モジュールの模式図である。
【図５】（ａ）および（ｂ）は、本実施形態の光源モジュールの模式図であり、（ｃ）は、（ｂ）の一部拡大図である。
【図６】本実施形態の光源モジュールを備える照明装置の模式的な分解斜視図である。
【図７】本実施形態の光源モジュールを備える照明装置の模式的な分解斜視図である。
【図８】（ａ）〜（ｃ）は、本実施形態の光源モジュールの模式図であり、（ｄ）は、（ｃ）の一部拡大図である。
【図９】（ａ）〜（ｃ）は、本実施形態の光源モジュールの模式図である。
【図１０】（ａ）および（ｂ）は、本実施形態の光源モジュールの模式図である。
【図１１】（ａ）および（ｂ）は、本実施形態の光源モジュールの模式図であり、（ｃ）は、（ｂ）の一部拡大図である。
【図１２】（ａ）および（ｂ）は、本実施形態の光源モジュールの模式図であり、（ｃ）は、（ｂ）の一部拡大図である。
【図１３】（ａ）および（ｃ）は、本実施形態の光源モジュールの模式図であり、（ｂ）は、（ａ）の一部拡大図である。
【図１４】（ａ）、（ｃ）および（ｄ）は、本実施形態の光源モジュールの模式図であり、（ｂ）は、（ａ）の一部拡大図である。
【図１５】（ａ）〜（ｃ）は、本実施形態の光源モジュールの模式図である。
【図１６】（ａ）および（ｂ）は、本実施形態の光源モジュールの模式図である。
【図１７】（ａ）は、本実施形態の光源モジュールの模式図であり、（ｂ）は、（ａ）の一部拡大図である。
【発明を実施するための形態】
【００１４】
以下、図面を参照して、本発明による光源モジュールの実施形態を説明する。図中、同一または相当部分については同一の参照符号を付して説明を繰り返さない。なお、本願明細書では、発明の理解を容易にするため、互いに直交するＸ方向、Ｙ方向およびＺ方向を参照して説明することがある。例えば、Ｘ方向およびＹ方向は水平方向に平行であり、Ｚ方向は鉛直方向に平行である。ただし、Ｘ方向およびＹ方向は水平方向以外の方向に平行であってもよく、Ｚ方向は鉛直方向以外の方向に平行であってもよい。
【００１５】
図１を参照して、本実施形態の光源モジュール１００を説明する。図１（ａ）は、光源モジュール１００の模式的な斜視図であり、図１（ｂ）および図１（ｃ）は、光源モジュール１００の模式的な平面図である。
【００１６】
図１（ａ）に示すように、光源モジュール１００は、少なくとも１つの基板１１０と、少なくとも１つの光源１２０とを備える。ここでは、光源モジュール１００は、１つの基板１１０と、複数の光源１２０とを備える。光源１２０は、基板１１０の所定の位置に配置される。
【００１７】
ここでは、基板１１０の外形は略直方体形状である。基板１１０は、所定の方向に延びる。詳細には、基板１１０は、Ｘ方向に直線状に延びる。基板１１０のＸ方向に沿った長さは、基板１１０のＹ方向に沿った長さよりも大きい。また、基板１１０は、薄板形状である。基板１１０のＺ方向に沿った長さは、基板１１０のＹ方向に沿った長さよりも小さい。
【００１８】
図１には、図示されないが、基板１１０の内部には、内部導電層が設けられる。例えば、内部導電層は、銅から形成される。光源１２０は、内部導電層と電気的に接続される。典型的には、基板１１０の外表面の大部分は絶縁される。ただし、基板１１０の外表面の一部には内部の内部導電層と電気的に接続した端子が設けられてもよい。
【００１９】
基板１１０は、主面１１０ａと、主面１１０ｂと、側面１１０ｃと、側面１１０ｄと、側面１１０ｅと、側面１１０ｆとを有する。側面１１０ｃ、側面１１０ｄ、側面１１０ｅおよび側面１１０ｆは、主面１１０ａと主面１１０ｂとを連絡する。主面１１０ａは、＋Ｚ方向を向いており、主面１１０ｂは、−Ｚ方向を向いている。側面１１０ｃは、−Ｘ方向を向いており、側面１１０ｄは、−Ｙ方向を向いている。側面１１０ｅは、＋Ｘ方向を向いており、側面１１０ｆは、＋Ｙ方向を向いている。
【００２０】
ここでは、主面１１０ａの外形は矩形状である。主面１１０ａは、端部ａ１と、端部ａ２と、端部ａ３と、端部ａ４とによって規定される。端部ａ１は、主面１１０ａのうちの−Ｘ方向側に位置し、端部ａ２は、主面１１０ａのうちの−Ｙ方向側に位置する。また、端部ａ３は、主面１１０ａのうちの＋Ｘ方向側に位置し、端部ａ４は、主面１１０ａのうちの＋Ｙ方向側に位置する。
【００２１】
光源１２０は、基板１１０の主面１１０ａに配置される。ここでは、基板１１０の主面１１０ａに、複数の光源１２０が配置される。複数の光源１２０は、それぞれ同じ大きさおよび光学特性を有する。例えば、光源１２０は、発光ダイオード（Ｌｉｇｈｔ  Ｅｍｉｔｔｉｎｇ  Ｄｉｏｄｅ：ＬＥＤ）を含む。
【００２２】
例えば、複数の光源１２０は、それぞれ、表面実装素子（ｓｕｒｆａｃｅ  ｍｏｕｎｔ  ｄｅｖｉｃｅ：ＳＭＤ）である。ＳＭＤからなる光源１２０は、例えば、略直方体に形成され、周囲六面のうち一つの面（基板１１０に対向する面の裏側の面）から光を出射する。なお、複数の光源１２０は、それぞれ、チップオンボード（ｃｈｉｐ  ｏｎ  ｂｏａｒｄ：ＣＯＢ）素子であってもよい。
【００２３】
光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。図１では、光源１２０Ｆは、−Ｘ方向側の端部に位置し、光源１２０Ｌは、＋Ｘ方向側の端部に位置する。なお、ここでは、光源１２０の長手方向が基板１１０の短手方向と平行であり、光源１２０の短手方向が基板１１０の長手方向と平行となるように光源１２０は基板１１０に配置される。また、全ての光源１２０は、基板１１０に対して同じ向きに配置されている。
【００２４】
複数の光源１２０から出射される光は、等間隔の光源から出射されたように見えることが好ましい。例えば、図１（ａ）および図１（ｂ）に示すように、複数の光源１２０は、等間隔に配置される。光源１２０は、隣接する２つの光源１２０の間隔が一定になるように配列される。例えば、隣接する２つの光源１２０の間隔は間隔Ｄである。また、光源１２０のＸ方向に沿った長さは、長さＬである。間隔Ｄは、長さＬよりも大きい。なお、各光源１２０から出射する光の間隔が略等間隔であれば、光源１２０の間隔が多少不均一であっても、複数の光源１２０から出射される光は、等間隔の光源から出射されたように見える。例えば、隣接する光源間の距離に差がある場合、この差は、間隔Ｄに対して０．１％以上５％以下であってもよい。
【００２５】
基板１１０の一方側の端部と一方側の光源１２０との間の距離は、基板１１０の他方側の端部と他方側の光源１２０との間の距離とは異なる。詳細には、光源１２０Ｆと端部ａ１との間の長さは、長さＤａである。また、光源１２０Ｌと端部ａ３との間の長さは、長さＤｂである。長さＤｂは、長さＤａよりも大きい。また、長さＤｂは、間隔Ｄの半分よりも大きい。なお、光源１２０Ｆと端部ａ１との間の長さＤａは、基板１１０の内部に位置する内部導電層において発生する電場が基板１１０の外部に悪影響を生じさせないように設定される。
【００２６】
また、長さＤａと長さＤｂとの和は間隔Ｄと等しい。ただし、設計上、長さＤａと長さＤｂとの和と間隔Ｄとの間には公差があってもよい。ここで、長さＤａと長さＤｂとの和と間隔Ｄとの間の公差は、長さＤａと長さＤｂとの和および／または間隔Ｄに対して０．１％以上５％以下の大きさであることが好ましい。
【００２７】
長さＤａと長さＤｂとの和は間隔Ｄと等しいため、光源１２０の配置された基板１１０をＸ方向に複数配列することにより、より多くの光源１２０を等間隔に一列に配列させた光源モジュール１００を構成できる。
【００２８】
本実施形態の光源モジュール１００では、基板１１０に、切断部１１２が設けられる。基板１１０は、切断部１１２に沿って切断できる。基板１１０を切断部１１２に沿って切断すると、基板１１０は、本体部１１０ｔと分離部１１０ｕとに分離できる。ここでは、切断部１１２は、基板１１０の長手方向（Ｘ方向）に対して直交する方向（Ｙ方向）に延びる。切断部１１２は、本体部１１０ｔと分離部１１０ｕとの境界に位置する。本体部１１０ｔは、基板１１０の−Ｘ方向側に位置しており、分離部１１０ｕは、基板１１０の＋Ｘ方向側に位置する。
【００２９】
ここでは、切断部１１２は、基板１１０の主面１１０ａの端部に設けられる。切断部１１２は、光源１２０Ｌと端部ａ３との間に位置する。このため、基板１１０を切断部１１２に沿って切断すると、切断前の本体部１１０ｔが新たな基板１１０となり、光源１２０Ｌと基板１１０の端部ａ３との間の長さを短くできる。したがって、基板１１０に対して光源１２０を端部にまで配置できる。このため、本実施形態の光源モジュール１００は、端部における光量の不足を抑制できる。
【００３０】
さらに、光源１２０Ｌと切断部１１２との間の長さが長さＤａであることが好ましい。この場合、切断部１１２に沿って本体部１１０ｔと分離部１１０ｕとを分離することにより、光源１２０Ｌと基板１１０の端部ａ３との間の長さを長さＤａに短くできる。この場合、基板１１０の一方側の端部と光源１２０との間の距離を基板１１０の他方側の端部と光源１２０との間の距離と揃えることができ、光源１２０を基板１１０の端部にまで配置できる。
【００３１】
基板１１０の本体部１１０ｔには、光源１２０が配置される一方で、基板１１０の分離部１１０ｕには、光源１２０は、配置されていない。例えば、基板１１０の内部導電層は本体部１１０ｔの内部のみに位置しており、基板１１０の分離部１１０ｕには位置していなくてもよい。典型的には、基板１１０から分離部１１０ｕを分離した後、分離部１１０ｕを廃棄してもよい。
【００３２】
なお、基板１１０の切断部１１２は、容易に切断できるように、基板１１０の他の部分とは異なるように構成されることが好ましい。例えば、切断部１１２として、基板１１０の主面１１０ａに溝が設けられてもよい。一例では、溝の深さは、基板１１０の厚さの３％以上３０％以下である。
【００３３】
図１（ｃ）は、基板１１０から分離部１１０ｕを分離した後の光源モジュール１００の模式的な平面図である。なお、図１（ａ）および図１（ｂ）は、基板１１０の本体部１１０ｔと分離部１１０ｕとが分離される前の光源モジュール１００を示しているのに対して、図１（ｃ）は、基板１１０の本体部１１０ｔと分離部１１０ｕとが分離された後の光源モジュール１００を示す。
【００３４】
図１（ｃ）に示すように、基板１１０の本体部１１０ｔから分離部１１０ｕが分離される。ここで、光源１２０Ｌと端部ａ３との間の長さは、長さＤａである。光源１２０Ｌと切断部１１２との間の長さが長さＤａであった場合、切断部１１２に沿って基板１１０を分離すると、光源１２０Ｌと基板１１０の端部ａ３との間の長さを長さＤａにできる。
【００３５】
なお、基板１１０から分離部１１０ｕを分離した場合、分離によって新たに形成された端部ａ３には、内部導電層が露出されないことが好ましい。ただし、新たに形成された端部ａ３において、内部導電層が露出されてもよい。
【００３６】
次に、図１および図２を参照して、本実施形態の光源モジュール１００を説明する。本実施形態の光源モジュール１００は、２つの基板１１０と、光源１２０とを備える。ここでは、説明の便宜上、２つの基板１１０のうちの一方の基板を基板１１０Ａとし、他方の基板を基板１１０Ｂとする。基板１１０Ａおよび基板１１０Ｂは、それぞれ、図１（ａ）および図１（ｂ）に示した基板１１０と同じ構成である。図２（ａ）は、光源モジュール１００を作製するための基板１１０Ａおよび基板１１０Ｂの模式図である。図２（ｂ）は、光源モジュール１００の模式図であり、図２（ｃ）は、図２（ｂ）の一部の領域ＩＩＣを拡大した模式図である。
【００３７】
図２（ａ）に示すように、本実施形態の光源モジュール１００を作製するために光源１２０の配置された基板１１０Ａと、光源１２０の配置された基板１１０Ｂとを用意する。基板１１０Ａおよび基板１１０Ｂは同じ形状を有しており、基板１１０Ａおよび基板１１０Ｂにはそれぞれ同じ数の光源１２０が配置される。
【００３８】
基板１１０Ａにおいて、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、光源１２０Ｌと端部ａ３との間の長さは、長さＤｂである。
【００３９】
また、基板１１０Ｂにおいても、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、光源１２０Ｌと端部ａ３との間の長さは、長さＤｂである。
【００４０】
図２（ｂ）に示すように、基板１１０Ａと基板１１０Ｂとを隣接して配置して光源モジュール１００を作製する。基板１１０Ａと基板１１０ＢとはＸ方向に隣接して配置される。
【００４１】
図２（ｂ）および図２（ｃ）に示すように、基板１１０Ａの端部ａ３は、基板１１０Ｂの端部ａ１と隣接する。例えば、基板１１０Ａの端部ａ３は、基板１１０Ｂの端部ａ１と当接する。基板１１０Ａにおいて、光源１２０Ｌと端部ａ３との間の長さは、長さＤｂである。基板１１０Ｂにおいて、光源１２０Ｆと端部ａ１との間の長さは、長さＤａである。また、長さＤａと長さＤｂとの和は間隔Ｄと等しい。このため、光源１２０の配置された基板１１０Ａおよび基板１１０ＢをＸ方向に配列することにより、隣接する基板１１０Ａと基板１１０Ｂにわたって光源１２０の間隔を一定にできる。
【００４２】
また、図２（ｂ）に示すように、基板１１０Ｂの本体部１１０ｔから分離部１１０ｕが分離される。基板１１０Ｂにおいて光源１２０Ｌと切断部１１２との間の長さは、長さＤａである場合、切断部１１２に沿って基板１１０を分離すると、光源１２０Ｌと基板１１０の端部ａ３との間の長さを長さＤａにできる。この場合、基板１１０Ａの端部ａ１と光源１２０Ｆとの間の距離と、基板１１０Ｂの端部ａ３と光源１２０Ｌとの間の距離を揃えることができ、光源１２０を基板１１０Ａの一方側の端部から基板１１０Ｂの他方側の端部にまで配置できる。このため、光源モジュール１００は、端部における光量の不足を抑制できる。
【００４３】
なお、光源モジュール１００が、隣接して配置される基板１１０Ａおよび基板１１０Ｂから構成される場合、基板１１０Ａに配置された光源および基板１１０Ｂに配置された光源１２０にはそれぞれ独立に信号が入力されてもよい。あるいは、基板１１０Ａおよび基板１１０Ｂのうちの一方の基板に入力された信号が、基板１１０Ａおよび基板１１０Ｂのうちの他方の基板に伝送することによって、基板１１０Ａに配置された光源１２０および基板１１０Ｂに配置された光源１２０をそれぞれ点灯させてもよい。例えば、基板１１０Ａおよび基板１１０Ｂのそれぞれの主面１１０ａを介して信号が伝送されてもよい。あるいは、基板１１０Ａおよび基板１１０Ｂのそれぞれの主面１１０ｂを介して信号が伝送されてもよい。
【００４４】
本実施形態の光源モジュール１００は、光源モジュール１００のサイズを比較的長くする場合、図２（ｂ）に示したように、基板１１０Ａおよび基板１１０Ｂから構成される。この場合、基板１１０Ａの光源１２０Ｌと基板１１０Ｂの光源１２０Ｆとの間の距離は、他の隣接する光源１２０の間の距離と等しく、間隔Ｄである。このため、基板１１０Ａおよび基板１１０Ｂを隣接方向に配列させることによって、より長いライン光源を実現できる。一方、光源モジュール１００のサイズを比較的短くする場合、図１（ｃ）に示したように、光源モジュール１００は、基板１１０から構成される。この場合、基板１１０のうち光源１２０Ｆから端部ａ１までの長さが長さＤａであり、基板１１０のうち光源１２０Ｌから端部ａ３までの長さが長さＤａである。この場合も基板１１０の光源１２０の間隔は、間隔Ｄである。このように必要とされるサイズに応じて、同じ基板１１０を用いて光源モジュール１００を作製できる。
【００４５】
なお、図１および図２に示した光源モジュール１００では、光源１２０の短手方向が基板１１０の長手方向と平行となるように光源１２０は基板１１０に配置されたが、本実施形態はこれに限定されない。光源１２０の長手方向が基板１１０の長手方向と平行となるように光源１２０が基板１１０に配置されてもよい。
【００４６】
また、図１および図２に示した光源モジュール１００では、全ての光源１２０が基板１１０に対して同じ向きに配置されたが、本実施形態はこれに限定されない。全ての光源１２０のうちの一部の光源１２０が基板１１０に対してある向きに配置される一方で、残りの光源１２０が基板１１０に対して別の向きに配置されてもよい。例えば、光源１２０Ｆおよび光源１２０Ｌの短手方向が基板１１０の長手方向と平行になるように配置され、光源１２０Ｆおよび光源１２０Ｌ以外の光源１２０の長手方向が基板１１０の長手方向と平行になるように配置されてもよい。
【００４７】
なお、基板１１０Ａおよび基板１１０Ｂは保持部材に保持される。典型的には、基板１１０Ａおよび基板１１０Ｂは、共通の保持部材に保持される。
【００４８】
次に、図１〜図３を参照して、基板１１０Ａおよび基板１１０Ｂを保持する保持部材１３０を備えた光源モジュール１００を説明する。図３は、光源モジュール１００の模式的な分解斜視図である。
【００４９】
図３に示すように、光源モジュール１００は、基板１１０Ａ、基板１１０Ｂおよび光源１２０に加えて、保持部材１３０をさらに備える。保持部材１３０は、基板１１０Ａおよび基板１１０Ｂを保持する。
【００５０】
保持部材１３０は、長手方向に延びた形状を有する。保持部材１３０はＸ方向に沿って延びる。保持部材１３０は、例えば、金属製（例えば、アルミニウム製）である。
【００５１】
保持部材１３０は、本体部１３２と、ガイド部１３４ａおよびガイド部１３４ｂを有する。本体部１３２は、Ｘ方向に沿って延びる。本体部１３２は、ガイド部１３４ａおよびガイド部１３４ａと連絡する。詳細には、ガイド部１３４ａは、本体部１３２の＋Ｙ方向側端部と連結している。ガイド部１３４ｂは、本体部１３２の−Ｙ方向側端部と連結している。ガイド部１３４ａおよびガイド部１３４ｂは、本体部１３２と対向しており、ガイド部１３４ａおよびガイド部１３４ｂは、本体部１３２に対向してＸ方向に沿って延びる。
【００５２】
基板１１０Ａおよび基板１１０Ｂは、それぞれ、本体部１３２と、ガイド部１３４ａおよびガイド部１３４ｂとの間に挿入される。基板１１０Ａおよび基板１１０Ｂは、本体部１３２と、ガイド部１３４ａおよびガイド部１３４ｂとの間をスライドする。基板１１０Ａおよび基板１１０Ｂが、本体部１３２と、ガイド部１３４ａおよびガイド部１３４ｂとの間で挟まれることにより、基板１１０Ａおよび基板１１０Ｂは、保持部材１３０に保持される。
【００５３】
なお、保持部材１３０が、基板１１０Ａおよび基板１１０Ｂを保持する場合、基板１１０Ａおよび基板１１０Ｂに配置された光源１２０は、本体部１３２の法線方向を向く。このため、光源１２０は、＋Ｚ方向に向けて光を照射する。
【００５４】
なお、図１〜図３を参照した上述の説明では、切断部１１２は基板１１０の長辺方向の端部に位置したが、本実施形態はこれに限定されない。切断部１１２は基板１１０の短辺方向の端部に位置してもよい。
【００５５】
切断部１１２は、使用者の手で切断されてもよい。あるいは、切断部１１２は、特定の冶具によって切断されてもよい。
【００５６】
図１〜図３を参照した上述の説明では、図１に示した光源モジュール１００において、基板１１０の主面には切断部１１２として溝が設けられていたが、本実施形態はこれに限定されない。切断部１１２として、複数の貫通孔が線状に設けられてもよい。また、切断部１１２として、基板１１０の端部ａ２および端部ａ４の少なくとも一方に、窪みまたは切り欠きが設けられてもよい。あるいは、切断部１１２として、使用者が基板１１０を切断するための切断線が示されてもよい。
【００５７】
上述したように、基板１１０には、主面１１０ａおよび主面１１０ｂのいずれから信号が入力されてもよい。ただし、基板１１０には、主面１１０ａから信号が入力されることが好ましい。
【００５８】
次に、図４および図５を参照して、光源モジュール１００を説明する。図４（ａ）は、光源モジュール１００の模式図である。ここでは、光源モジュール１００は、１つの基板１１０と、基板１１０に取り付けられた光源１２０とを備える。なお、図４（ａ）の光源モジュール１００は、基板１１０に接続端子１１４が設けられる点を除いて、図１（ｂ）の光源モジュール１００と同様の構成を有しており、冗長を避けるために重複する記載を省略する。
【００５９】
図４（ａ）に示すように、基板１１０には、接続端子１１４が設けられる。接続端子１１４は、基板１１０の主面１１０ａに位置する。接続端子１１４は、導電部材から形成される。接続端子１１４は、基板１１０の内部に位置する内部導電層と電気的に接続する。
【００６０】
基板１１０には、複数の光源１２０がＸ方向に沿って一列に配列されており、接続端子１１４は、内部導電層を介して複数の光源１２０と電気的に接続される。例えば、複数の光源１２０への電力信号および／または制御信号は、接続端子１１４を介して外部から入力される。
【００６１】
接続端子１１４は、端子１１４ａと、端子１１４ｂとを含む。端子１１４ａおよび端子１１４ｂは、複数の光源１２０の一方側の端部（−Ｘ方向側の端部）から２番目の光源１２０と３番目の光源１２０との間に位置する。また、端子１１４ａは、光源１２０に対して基板１１０の短手方向の一方側（＋Ｙ方向側）に位置し、端子１１４ｂは、光源１２０に対して基板１１０の短手方向の他方側（−Ｙ方向側）に位置する。
【００６２】
また、接続端子１１４は、端子１１４ｃと、端子１１４ｄとを含む。端子１１４ｃおよび端子１１４ｄは、複数の光源１２０の他方側の端部（＋Ｘ方向側の端部）から２番目の光源１２０と３番目の光源１２０との間に位置する。また、端子１１４ｃは、光源１２０に対して基板１１０の短手方向の他方側（−Ｙ方向側）に位置し、端子１１４ｄは、光源１２０に対して基板１１０の短手方向の一方側（＋Ｙ方向側）に位置する。
【００６３】
端子１１４ａおよび端子１１４ｂは、端子１１４ｃおよび端子１１４ｄと電気的に接続する。典型的には、端子１１４ａは、基板１１０の内部導電層を介して端子１１４ｄと電気的に接続する。また、端子１１４ｂは、基板１１０の内部導電層を介して端子１１４ｃと電気的に接続する。
【００６４】
図４（ｂ）に示すように、端子１１４ｃおよび端子１１４ｄには、配線１１６ａおよび配線１１６ｂが接続される。詳細には、端子１１４ｄには、配線１１６ａが接続され、端子１１４ｃには、配線１１６ｂが接続される。典型的には、配線１１６ａおよび配線１１６ｂは、光源１２０と電源とを電気的に接続する。
【００６５】
実施形態の光源モジュール１００が１つの基板１１０から構成される場合、図４（ｂ）に示した基板１１０の切断部１１２を切断し、基板１１０の本体部１１０ｔから分離部１１０ｕが分離される。光源１２０Ｌと切断部１１２との間の長さが長さＤａであった場合、切断部１１２に沿って基板１１０を分離すると、光源１２０Ｌと基板１１０の端部ａ３との間の長さを長さＤａにできる。
【００６６】
なお、図４（ｂ）に示した基板１１０を複数用いて、光源モジュール１００を作製できる。光源モジュール１００は、図４（ｂ）に示した２つの基板１１０から構成できる。ここでは、説明の便宜上、２つの基板１１０のうちの一方の基板を基板１１０Ａとし、他方の基板を基板１１０Ｂとする。
【００６７】
図５（ａ）に示すように、本実施形態の光源モジュール１００を作製するために光源１２０の配置された基板１１０Ａと、光源１２０の配置された基板１１０Ｂとを用意する。基板１１０Ａおよび基板１１０Ｂは、図４（ｂ）に示した基板１１０と同じ形状を有しており、基板１１０Ａおよび基板１１０Ｂにはそれぞれ同じ数の光源１２０が配置される。
【００６８】
図５（ｂ）および図５（ｃ）に示すように、基板１１０Ａと基板１１０Ｂとを隣接して配置して基板１１０Ａおよび基板１１０Ｂから光源モジュール１００を作製する。基板１１０Ａの配線１１６ａを基板１１０Ｂの端子１１４ａと接続させる。また、基板１１０Ａの配線１１６ｂを基板１１０Ｂの端子１１４ｂと接続させる。基板１１０Ｂの配線１１６ａおよび配線１１６ｂは、基板１１０Ｂの端部ａ３にまで延ばして、基板１１０Ｂの主面１１０ｂ側（主面１１０ａの裏側）に回す。
【００６９】
ここでは、基板１１０Ａの端部ａ３は、基板１１０Ｂの端部ａ１と当接する。基板１１０Ａにおいて、光源１２０Ｌと端部ａ３との間の長さは、長さＤｂである。基板１１０Ｂにおいて、光源１２０Ｆと端部ａ１との間の長さは、長さＤａである。また、長さＤａと長さＤｂとの和は間隔Ｄと等しい。このため、光源１２０の配置された基板１１０Ａと基板１１０ＢをＸ方向に隣接して配置することにより、隣接する基板１１０Ａと基板１１０Ｂにわたって光源１２０の間隔を一定にできる。
【００７０】
また、図５（ｂ）に示すように、基板１１０Ｂの本体部１１０ｔから分離部１１０ｕが分離される。基板１１０Ｂにおいて光源１２０Ｌと切断部１１２との間の長さが長さＤａである場合、切断部１１２に沿って基板１１０を分離すると、光源１２０Ｌと基板１１０の端部ａ３との間の長さを長さＤａにできる。この場合、基板１１０Ａの端部ａ１と光源１２０Ｆとの間の距離と、基板１１０Ｂの端部ａ３と光源１２０Ｌとの間の距離を揃えることができ、光源１２０を基板１１０Ａの一方側の端部から基板１１０Ｂの他方側の端部にまで配置できる。
【００７１】
本実施形態の光源モジュール１００は、照明装置の一部として好適に用いられる。光源１２０からの光は、照明光として用いられる。
【００７２】
以下、図６を参照して、光源モジュール１００を備えた照明装置２００を説明する。図６は、照明装置２００の模式的な分解斜視図である。
【００７３】
図６に示すように、照明装置２００は、例えば、直接照明装置である。照明装置２００は、光を出射する。照明装置２００は、Ｘ方向に沿って延びる。
【００７４】
照明装置２００は、取付器具２１０と、光源ユニット２２０とを備える。光源モジュール１００は、光源ユニット２２０に取り付けられる。ここでは、光源モジュール１００は、基板１１０Ａと、基板１１０Ｂと、保持部材１３０とから構成される。基板１１０Ａおよび基板１１０Ｂは、保持部材１３０に保持される。
【００７５】
取付器具２１０は、取付体に設置される。取付体は、建造物の部屋の天井面のような照明装置２００を支持可能な部材である。光源ユニット２２０は、取付器具２１０に取り付けられる。取付器具２１０は、ベース部材２１２と、蓋部２１４と、電源部２１６とを含む。
【００７６】
ベース部材２１２は、電源部２１６および光源ユニット２２０の放熱性を考慮して構成される。例えば、ベース部材２１２は、金属製である。
【００７７】
ベース部材２１２は、Ｘ方向に沿って延びる。ベース部材２１２は、側面部２１２ａと、側面部２１２ｂと、連結部２１２ｃとを有する。側面部２１２ａ、側面部２１２ｂおよび連結部２１２ｃは、それぞれ、略平板形状を有する。
【００７８】
側面部２１２ａと側面部２１２ｂとは、Ｙ方向に沿って互いに間隔を空けて対向する。側面部２１２ａと側面部２１２ｂとの間には、連結部２１２ｃが介在する。
【００７９】
ベース部材２１２は、光源ユニット２２０を取付体に設置するための部材である。ベース部材２１２は、取付体に取り付けられる。本実施形態では、ベース部材２１２のうち、連結部２１２ｃが、取付体に取り付けられる。
【００８０】
蓋部２１４は、ベース部材２１２のＸ方向の端部に配置される。例えば、蓋部２１４は、ベース部材２１２に対して着脱可能である。
【００８１】
蓋部２１４は、第１蓋部２１４ａと、第２蓋部２１４ｂとを有する。第１蓋部２１４ａおよび第２蓋部２１４ｂは、それぞれ、例えば、略平板形状を有し、平面視略矩形形状を有する。第１蓋部２１４ａは、ベース部材２１２のうちＸ方向の一方側の端部に配置され、ベース部材２１２の一方側の端部を閉塞する。第２蓋部２１４ｂは、ベース部材２１２のうちＸ方向の他方側の端部に配置され、ベース部材２１２の他方側の端部を閉塞する。なお、蓋部２１４とベース部材２１２とは、別部材であってもよく、一体成形されてもよい。
【００８２】
ベース部材２１２の内部は空洞である。ベース部材２１２の内部は、ベース部材２１２の内面で囲まれた空間である。具体的には、ベース部材２１２の内部は、側面部２１２ａと側面部２１２ｂとで挟まれた空間である。
【００８３】
電源部２１６は、光源ユニット２２０に電力を供給する。電源部２１６は、ベース部材２１２の内部に配置される。なお、電源部２１６をベース部材２１２の内部に配置せず、ベース部材２１２の外部に配置してもよい。
【００８４】
光源ユニット２２０は、Ｘ方向に沿って延びる。具体的には、光源ユニット２２０は、光源モジュール１００と、カバー部材２２２と、蓋部２２４と、取付部材２２６と、装着部材２２８とを含む。
【００８５】
光源ユニット２２０は、ベース部材２１２に対して着脱可能である。光源ユニット２２０は、ベース部材２１２と別体であり、ベース部材２１２に対し着脱可能とするための構成を有する。本実施形態では、光源ユニット２２０は、取付部材２２６によってベース部材２１２に対して着脱可能に構成される。
【００８６】
カバー部材２２２は、光カバー部２２２ａと、進入部２２２ｂとを有する。光カバー部２２２ａは、複数の光源１２０が出射した光を透過する。光カバー部２２２ａは、例えば、複数の光源１２０が出射した光を拡散する。
【００８７】
光カバー部２２２ａは、例えば、合成樹脂製である。光カバー部２２２ａは、例えば、白色半透明であってもよい。光カバー部２２２ａは、例えば、光拡散材料を含有した樹脂を成形することによって形成してもよいし、透明材料で成形した後に表面に光拡散処理を施してもよい。
【００８８】
光カバー部２２２ａは、Ｘ方向に沿って延びる。光カバー部２２２ａは、２つの側面部と、連結部とを有する。光カバー部２２２ａの２つの側面部および連結部は、それぞれ、略平板形状を有する。光カバー部２２２ａの２つの側面部は、Ｙ方向に沿って互いに間隔を空けつつ対向する。光カバー部２２２ａの２つの側面部の間には、連結部が介在する。
【００８９】
光カバー部２２２ａの内部は空洞である。光カバー部２２２ａの内部は、光カバー部２２２ａの内面で囲まれた空間である。具体的には、光カバー部２２２ａの内部は、２つの側面部で挟まれた空間である。光カバー部２２２ａは、複数の光源１２０から出射された光を透過させて光カバー部２２２ａの外部に放出する。
【００９０】
進入部２２２ｂは、光カバー部２２２ａに連結される。進入部２２２ｂは、Ｘ方向に沿って延びる。進入部２２２ｂは、ベース部材２１２の内部に進入可能である。
【００９１】
蓋部２２４は、光カバー部２２２ａのＸ方向の端部に配置される。蓋部２２４は、光カバー部２２２ａのＸ方向の端部を閉塞する。本実施形態では、蓋部２２４は、光カバー部２２２ａに着脱可能である。蓋部２２４は、第１蓋部２２４ａと、第２蓋部２２４ｂとを含む。第１蓋部２２４ａおよび第２蓋部２２４ｂは、それぞれ、例えば、略平板形状を有し、平面視略矩形形状を有する。
【００９２】
例えば、第１蓋部２２４ａおよび第２蓋部２２４ｂは、それぞれ、溶着によって光カバー部２２２ａに接合される。あるいは、第１蓋部２２４ａおよび第２蓋部２２４ｂは、それぞれ、接着剤によって光カバー部２２２ａに接合されていてもよい。第１蓋部２２４ａは、光カバー部２２２ａのうちＸ方向の一方側の端部に配置され、光カバー部２２２ａの一方側の端部を閉塞する。第２蓋部２２４ｂは、光カバー部２２２ａのうちＸ方向の他方側の端部に配置され、光カバー部２２２ａの他方側の端部を閉塞する。蓋部２２４とベース部材２１２とは、別部材であってもよく、一体成形されてもよい。
【００９３】
取付部材２２６は、保持部材１３０に取り付けられる。具体的には、取付部材２２６は、保持部材１３０の取付面に取り付けられる。取付部材２２６は、弾性を有し、金属製（例えば、ステンレス製）である。
【００９４】
装着部材２２８は、保持部材１３０の端部に装着される。装着部材２２８は、例えば、合成樹脂製である。装着部材２２８は、例えば、弾性変形可能である。
【００９５】
図６に示した照明装置２００では、光源１２０は、照明装置２００を取り付ける取付体（ベース部材２１２の取付面）の法線方向に光を照射する。ただし、本実施形態は、これに限定されない。光源１２０は、照明装置２００を取り付ける取付体の法線方向に対して斜め方向に光を照射してもよい。
【００９６】
次に、図７を参照して、光源モジュール１００を備えた照明装置２００を説明する。図７は、照明装置２００の模式的な分解斜視図である。
【００９７】
図７に示すように、照明装置２００は、取付器具２１０と、光源ユニット２２０とを備える。光源モジュール１００は、光源ユニット２２０に取り付けられる。ここでは、光源モジュール１００は、基板１１０Ａと、基板１１０Ｂと、保持部材１３０とから構成される。基板１１０Ａおよび基板１１０Ｂは、保持部材１３０に保持される。
【００９８】
取付器具２１０は、取付体に設置される。取付体は、建造物の部屋の天井面のような照明装置２００を支持可能な部材である。光源ユニット２２０は、取付器具２１０に取り付けられる。取付器具２１０は、ベース部材２１３と、蓋部２１４とを含む。
【００９９】
ベース部材２１３は、光源ユニット２２０の放熱性を考慮して構成される。例えば、ベース部材２１３は、金属製である。ベース部材２１３は、Ｘ方向に沿って延びる。
【０１００】
ベース部材２１３は、光源ユニット２２０を取付体に設置するための部材である。ベース部材２１３は、取付体に取り付けられる。
【０１０１】
ベース部材２１３は、上面部２１３ａと、側面部２１３ｂと、本体部２１３ｃとを含む。上面部２１３ａと、側面部２１３ｂと、本体部２１３ｃとは、組み合わされて一体化される。本体部２１３ｃは、底面と、底面に対して斜め方向に鋭角に傾斜した傾斜面とを有する。本体部２１３ｃの傾斜面には、保持部材１３０が嵌入される。本実施形態では、本体部２１３ｃの底面が取付体に設置される。
【０１０２】
蓋部２１４は、ベース部材２１３のＸ方向の端部に配置される。本実施形態では、蓋部２１４は、ベース部材２１３に着脱可能である。
【０１０３】
蓋部２１４は、第１蓋部２１４ａと、第２蓋部２１４ｂとを有する。第１蓋部２１４ａおよび第２蓋部２１４ｂは、それぞれ、例えば、略平板形状を有し、平面視略矩形形状を有する。第１蓋部２１４ａは、ベース部材２１３のうちＸ方向の一方側の端部に配置され、ベース部材２１３の一方側の端部を閉塞する。第２蓋部２１４ｂは、ベース部材２１３のうちＸ方向の他方側の端部に配置され、ベース部材２１３の他方側の端部を閉塞する。なお、蓋部２１４とベース部材２１３とは、別部材であってもよく、一体成形されていてもよい。
【０１０４】
ベース部材２１３の内部は空洞である。ベース部材２１３の内部は、ベース部材２１３の内面で囲まれた空間である。具体的には、ベース部材２１３の内部は、上面部２１３ａと側面部２１３ｂと本体部２１３ｃとで挟まれた空間である。
【０１０５】
光源ユニット２２０は、Ｘ方向に沿って延びる。具体的には、光源ユニット２２０は、光源モジュール１００と、カバー部材２２２とを含む。
【０１０６】
光源ユニット２２０は、ベース部材２１３に着脱可能である。光源ユニット２２０は、ベース部材２１３と別体であり、ベース部材２１３に対し着脱可能とするための構成を有する。
【０１０７】
図７に示した照明装置２００では、光源１２０は、Ｚ方向に対して斜めを向いている。このため、照明装置２００は、光を斜め方向に照射する。
【０１０８】
なお、図１〜図７に示した光源モジュール１００において、基板１１０の主面１１０ａは矩形状であったが、本実施形態はこれに限定されない。基板１１０の主面１１０ａには、窪みが設けられてもよい。
【０１０９】
次に、図８および図９を参照して、光源モジュール１００を説明する。図８（ａ）は、本実施形態の光源モジュール１００の模式図である。図８（ａ）の光源モジュール１００は、基板１１０に窪み１１０ｖが設けられる点を除いて、図４（ａ）を参照して上述した光源モジュール１００と同様の構成を有しており、冗長を避けるために重複する記載を省略する。また、図８（ｂ）および図８（ｃ）は、本実施形態の光源モジュール１００の模式図であり、図８（ｄ）は、図８（ｃ）の一部の領域ＶＩＩＩＤを拡大した模式図である。また、図９（ａ）は、本実施形態の光源モジュール１００の模式図である。図９（ｂ）および図９（ｃ）は、図９（ａ）の一部の領域を拡大した模式図である。
【０１１０】
図８（ａ）に示すように、基板１１０には、窪み１１０ｖが設けられる。窪み１１０ｖは、本体部１１０ｔに設けられる。詳細には、窪み１１０ｖは、主面１１０ａの端部ａ２および端部ａ４にそれぞれ設けられる。また、窪み１１０ｖは、切断部１１２よりも端部ａ３から離れた位置に設けられる。窪み１１０ｖは、切断部１１２と連続している。
【０１１１】
図８（ｂ）に示すように、端子１１４ｃおよび端子１１４ｄには、配線１１６ａおよび配線１１６ｂが接続される。詳細には、端子１１４ｃには、配線１１６ｂが接続され、端子１１４ｄには、配線１１６ａが接続される。なお、窪み１１０ｖは、配線１１６ａおよび配線１１６ｂを固定するために利用できる。
【０１１２】
図８（ｃ）に示すように、切断部１１２に沿って基板１１０を切断して基板１１０の本体部１１０ｔから分離部１１０ｕを分離する。分離部１１０ｕを分離すると、光源１２０Ｌと基板１１０の端部ａ３との間の長さを短くできる。したがって、基板１１０に対して光源１２０を端部にまで配置でき、基板１１０の設置領域全体から光を照射できる。このため、本実施形態の光源モジュール１００は、端部における光量の不足を抑制できる。
【０１１３】
また、図８（ｃ）および図８（ｄ）に示すように、窪み１１０ｖは、基板１１０の端部ａ２と端部ａ３とを連絡し、基板１１０の端部ａ３と端部ａ４とを連絡する。このため、基板１１０の端部ａ３には、凹部が設けられる。
【０１１４】
図８（ｄ）に示すように、光源１２０Ｌと基板１１０の端部ａ３との間のＸ方向に沿った長さは、距離Ｄａである。なお、端部ａ３には凹部が設けられるが、光源１２０Ｌと端部ａ３との間の長さは、距離Ｄａよりも長いことが好ましい。これにより、基板１１０の内部に位置する内部導電層において発生する電場が基板１１０の外部に悪影響を生じさせないように設定できる。
【０１１５】
本実施形態の光源モジュール１００は、２つの基板１１０から構成されてもよい。ここでも、説明の便宜上、２つの基板１１０のうちの一方の基板を基板１１０Ａとし、他方の基板を基板１１０Ｂとする。
【０１１６】
図９（ａ）に示すように、基板１１０Ａと基板１１０Ｂとを隣接して配置して光源モジュール１００を作製する。基板１１０Ａおよび基板１１０Ｂは、図８（ｂ）に示した基板１１０と同じ形状を有しており、基板１１０Ａおよび基板１１０Ｂにはそれぞれ同じ数の光源１２０が配置される。
【０１１７】
基板１１０Ａにおいて、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、光源１２０Ｌと端部ａ３との間の長さは、長さＤｂである。
【０１１８】
基板１１０Ｂにおいても、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、基板１１０Ｂの切断部１１２は切断されており、光源１２０Ｌと端部ａ３との間の長さは、長さＤａである。
【０１１９】
図９（ａ）および図９（ｂ）に示すように、基板１１０Ａの端部ａ３は、基板１１０Ｂの端部ａ１と当接する。基板１１０Ａにおいて、光源１２０Ｌと端部ａ３との間の長さは、長さＤｂである。基板１１０Ｂにおいて、光源１２０Ｆと端部ａ１との間の長さは、長さＤａである。また、長さＤａと長さＤｂとの和は間隔Ｄと等しい。このため、光源１２０の配置された基板１１０Ａと基板１１０ＢをＸ方向に複数配列することにより、隣接する基板１１０Ａと基板１１０Ｂにわたって光源１２０の間隔を一定にできる。
【０１２０】
また、図９（ａ）および図９（ｃ）に示すように、基板１１０Ｂの本体部１１０ｔから分離部１１０ｕが分離される。基板１１０Ｂにおいて光源１２０Ｌと切断部１１２との間の長さが長さＤａである場合、切断部１１２に沿って基板１１０を分離すると、光源１２０Ｌと基板１１０の端部ａ３との間の長さを長さＤａにできる。この場合、基板１１０の端部ａ１と光源１２０Ｆとの間の距離を基板１１０の端部ａ３と光源１２０Ｌとの間の距離と揃えることができ、光源１２０を基板１１０の端部にまで配置できる。
【０１２１】
図９（ｃ）に示すように、窪み１１０ｖには、配線１１６ａおよび配線１１６ｂが係合する。このように、窪み１１０ｖは、配線１１６ａおよび配線１１６ｂを固定するために利用できる。
【０１２２】
なお、図１〜図９を参照した上述の説明では、基板１１０には１つの切断部１１２が設けられたが、本実施形態はこれに限定されない。基板１１０には２以上の切断部１１２が設けられてもよい。
【０１２３】
次に、図１０および図１１を参照して、光源モジュール１００を説明する。図１０（ａ）は、本実施形態の光源モジュール１００の模式図である。なお、図１０（ａ）の光源モジュール１００は、基板１１０に切断部１１２ａおよび切断部１１２ｂが設けられる点を除いて、図４（ａ）を参照して上述した光源モジュール１００と同様の構成を有しており、冗長を避けるために重複する記載を省略する。
【０１２４】
図１０（ａ）に示すように、光源１２０Ｆと端部ａ１との間の長さは、長さＤｂであり、光源１２０Ｌと端部ａ３との間の長さは、長さＤｂである。
【０１２５】
基板１１０の主面１１０ａの端部に、切断部１１２ａおよび切断部１１２ｂが設けられる。切断部１１２ａは、光源１２０Ｆと端部ａ１との間に位置する。切断部１１２ａを切断することにより、本体部１１０ｔと分離部１１０ｕ１とを分離できる。また、切断部１１２ｂは、光源１２０Ｌと端部ａ３との間に位置する。切断部１１２ｂを切断することにより、本体部１１０ｔと分離部１１０ｕ２とを分離できる。
【０１２６】
このため、切断部１１２ａおよび切断部１１２ｂに沿って基板１１０を分離すると、光源１２０Ｆと基板１１０の端部ａ１との間の長さおよび光源１２０Ｌと基板１１０の端部ａ３との間の長さを小さくできる。したがって、基板１１０に対して光源１２０を端部にまで配置でき、基板の設置領域全体から光を照射できる。このため、本実施形態の光源モジュール１００は、端部における光量の不足を抑制できる。
【０１２７】
さらに、光源１２０Ｆと切断部１１２ａとの間の長さが長さＤａであることが好ましく、光源１２０Ｌと切断部１１２ｂとの間の長さが長さＤａであることが好ましい。この場合、切断部１１２に沿って本体部１１０ｔと分離部１１０ｕ１および分離部１１０ｕ２とを分離することにより、光源１２０Ｆと基板１１０の端部ａ１との間の長さ、および、光源１２０Ｌと基板１１０の端部ａ３との間の長さを長さＤａに短くできる。この場合、基板１１０の端部ａ１と光源１２０Ｆとの間の距離を基板１１０の端部ａ３と光源１２０Ｌとの間の距離と揃えることができる。
【０１２８】
複数の光源１２０は、等間隔に配置される。光源１２０は、隣接する２つの光源１２０の間隔が一定になるように配列される。例えば、隣接する２つの光源１２０の間隔は間隔Ｄである。なお、長さＤｂと長さＤｂとの和は、間隔Ｄと等しい。
【０１２９】
図１０（ｂ）は、基板１１０から分離部１１０ｕ１および分離部１１０ｕ２を分離した後の光源モジュール１００の模式的な平面図である。図１０（ｂ）に示すように、基板１１０の本体部１１０ｔから分離部１１０ｕ１および分離部１１０ｕ２が分離される。ここで、光源１２０Ｆと端部ａ１との間の長さは、長さＤａであり、光源１２０Ｌと端部ａ３との間の長さは、長さＤａである。
【０１３０】
図１１（ａ）に示すように、本実施形態の光源モジュール１００を作製するために光源１２０の配置された基板１１０Ａと、光源１２０の配置された基板１１０Ｂとを用意する。基板１１０Ａおよび基板１１０Ｂは、配線１１６ａおよび配線１１６ｂが取り付けられた点を除いて図１０（ａ）の基板１１０と同じ形状を有しており、基板１１０Ａおよび基板１１０Ｂにはそれぞれ同じ数の光源１２０が配置される。
【０１３１】
図１１（ｂ）に示すように、基板１１０Ａと基板１１０Ｂとを隣接して配置して光源モジュール１００を作製する。基板１１０Ａと基板１１０ＢとはＸ方向に隣接して配置される。
【０１３２】
図１１（ｂ）および図１１（ｃ）に示すように、基板１１０Ａの端部ａ３は、基板１１０Ｂの端部ａ１と当接する。基板１１０Ａにおいて、光源１２０Ｌと端部ａ３との間の長さは、長さＤｂである。基板１１０Ｂにおいて、光源１２０Ｆと端部ａ１との間の長さは、長さＤｂである。また、長さＤｂと長さＤｂとの和は間隔Ｄと等しい。このため、光源１２０の配置された基板１１０Ａと基板１１０ＢをＸ方向に配列することにより、隣接する基板１１０Ａと基板１１０Ｂにわたって光源１２０の間隔を一定にできる。
【０１３３】
また、図１１（ｂ）に示すように、基板１１０Ａの本体部１１０ｔから分離部１１０ｕ１が分離され、基板１１０Ｂの本体部１１０ｔから分離部１１０ｕ２が分離される。この場合、基板１１０Ａの端部ａ１と光源１２０Ｆとの間の距離を基板１１０Ｂの端部ａ３と光源１２０Ｌとの間の距離と揃えることができる。
【０１３４】
なお、図１〜図１１を参照して上述した説明では、複数の基板１１０から光源モジュール１００が構成される場合、光源モジュール１００は基板１１０Ａおよび基板１１０Ｂから構成されたが、本実施形態はこれに限定されない。光源モジュール１００は、３以上の基板１１０から構成されてもよい。
【０１３５】
次に、図１２を参照して、光源モジュール１００を説明する。図１２は、本実施形態の光源モジュール１００の模式図である。図１２（ａ）は、光源モジュール１００を作製するための基板１１０Ａ、基板１１０Ｂおよび基板１１０Ｃの模式図である。図１２（ｂ）は、光源モジュール１００の模式図である。
【０１３６】
図１２（ａ）に示すように、本実施形態の光源モジュール１００は、３つの基板１１０から構成される。ここでは、説明の便宜上、３つの基板１１０のうちの１つの基板を基板１１０Ａとし、別の基板を基板１１０Ｂと、残りの基板を基板１１０Ｃとする。本実施形態の光源モジュール１００を作製するために、光源１２０の配置された基板１１０Ａと、光源１２０の配置された基板１１０Ｂと、光源１２０の配置された基板１１０Ｃとを用意する。基板１１０Ａ、基板１１０Ｂおよび基板１１０Ｃは図４（ａ）の基板１１０と同じ形状を有しており、基板１１０Ａ、基板１１０Ｂおよび基板１１０Ｃにはそれぞれ同じ数の光源１２０が配置される。
【０１３７】
図１２（ｂ）に示すように、基板１１０Ａと基板１１０Ｂと基板１１０Ｃとを隣接して配置して光源モジュール１００を作製する。基板１１０Ａと基板１１０Ｂと基板１１０ＣとはＸ方向に隣接して配置される。
【０１３８】
図１２（ｂ）および図１２（ｃ）に示すように、基板１１０Ａの端部ａ３は、基板１１０Ｂの端部ａ１と当接する。基板１１０Ａにおいて、光源１２０Ｌと端部ａ３との間の長さは、長さＤｂである。基板１１０Ｂにおいて、光源１２０Ｆと端部ａ１との間の長さは、長さＤａである。また、長さＤａと長さＤｂとの和は間隔Ｄと等しい。
【０１３９】
また、基板１１０Ｂの端部ａ３は、基板１１０Ｃの端部ａ１と当接する。基板１１０Ｂにおいて、光源１２０Ｌと端部ａ３との間の長さは、長さＤｂである。基板１１０Ｃにおいて、光源１２０Ｆと端部ａ１との間の長さは、長さＤａである。また、長さＤａと長さＤｂとの和は間隔Ｄと等しい。このため、光源１２０の配置された基板１１０Ａ、基板１１０Ｂおよび基板１１０ＣをＸ方向に配列することにより、隣接する基板１１０Ａと基板１１０Ｂと基板１１０Ｃとにわたって光源１２０の間隔を一定にできる。
【０１４０】
また、図１２（ｂ）に示すように、基板１１０Ｃの本体部１１０ｔから分離部１１０ｕが分離される。基板１１０Ｃにおいて光源１２０Ｌと切断部１１２との間の長さが長さＤａである場合、切断部１１２に沿って基板１１０を分離すると、光源１２０Ｌと基板１１０の端部ａ３との間の長さを長さＤａにできる。この場合、基板１１０の端部ａ１と光源１２０Ｆとの間の距離を基板１１０の端部ａ３と光源１２０Ｌとの間の距離と揃えることができる。
【０１４１】
なお、図１〜図１２に示した光源モジュール１００では、切断部１１２は、基板１１０の端部と端の光源１２０との間に設けられていたが、本実施形態はこれに限定されない。基板１１０において切断部１１２の切断によって分離された両側をそれぞれ光源モジュール１００に使用してもよい。
【０１４２】
次に、図１３を参照して、光源モジュール１００を説明する。図１３（ａ）は、本実施形態の光源モジュール１００の模式図であり、図１３（ｂ）は、図１３（ａ）の一部の領域ＸＩＩＩＢを拡大した模式図である。
【０１４３】
図１３（ａ）および図１３（ｂ）に示すように、光源モジュール１００において、切断部１１２は、基板１１０の中央に配置される。このため、切断部１１２において基板１１０を切断すると、基板１１０は２等分される。ここでは、複数の光源１２０は偶数個である。切断部１１２は、複数の光源１２０を２等分する位置に配置される。
【０１４４】
光源１２０は、基板１１０の長手方向（Ｘ方向）に沿って一列に配列される。隣接する２つの光源１２０の間隔は間隔Ｄである。ここで、一列に配列された光源１２０のうち一方側の端部に位置する光源を光源１２０Ｆと示し、他方側の端部に位置する光源を光源１２０Ｌと示す。図１では、光源１２０Ｆは、−Ｘ方向側の端部に位置し、光源１２０Ｌは、＋Ｘ方向側の端部に位置する。また、複数の光源１２０において、切断部１１２に対して一方側（−Ｘ方向側）に隣接する光源を光源１２０Ｇと示し、切断部１１２に対して他方側（＋Ｘ方向側）に隣接する光源を光源１２０Ｍと示す。
【０１４５】
光源１２０Ｆと端部ａ１との間の長さは、長さＤａである。また、光源１２０Ｌと端部ａ３との間の長さは、長さＤａである。このため、光源１２０Ｆと端部ａ１との間の長さは、光源１２０Ｌと端部ａ３との間の長さと等しい。なお、長さＤａは、間隔Ｄの半分である。
【０１４６】
さらに、光源１２０Ｇと切断部１１２との間の長さは、長さＤａである。また、光源１２０Ｍと切断部１１２との間の長さは、長さＤａである。
【０１４７】
図１３（ｃ）に示すように、基板１１０を切断部１１２において切断すると、基板１１０から基板１１０ｐおよび基板１１０ｑが形成される。
【０１４８】
基板１１０ｐにおいて、一列に配列された光源１２０のうち光源１２０Ｆが一方側の端部に位置し、光源１２０Ｇが、他方側の端部に位置する。ここで、光源１２０Ｆと端部ａ１との間の長さは、長さＤａである。また、光源１２０Ｇと端部ａ３との間の長さは、長さＤａである。この場合、基板１１０ｐの端部ａ１と光源１２０Ｆとの間の距離を基板１１０ｐの端部ａ３と光源１２０Ｇとの間の距離と揃えることができ、光源１２０を基板１１０ｐの端部にまで配置できる。
【０１４９】
また、基板１１０ｑにおいて、一列に配列された光源１２０のうち光源１２０Ｍが一方側の端部に位置し、光源１２０Ｌが、他方側の端部に位置する。ここで、光源１２０Ｍと端部ａ１との間の長さは、長さＤａである。また、光源１２０Ｌと端部ａ３との間の長さは、長さＤａである。この場合、基板１１０ｑの端部ａ１と光源１２０Ｍとの間の距離を基板１１０ｑの端部ａ３と光源１２０Ｌとの間の距離と揃えることができ、光源１２０を基板１１０ｑの端部にまで配置できる。
【０１５０】
なお、図１３を参照して上述した光源モジュール１００では、基板１１０の中央を１つの切断部１１２に沿って切断したが、本実施形態はこれに限定されない。基板１１０の中央を２以上の切断部１１２に沿って切断してもよい。
【０１５１】
次に、図１４を参照して、光源モジュール１００を説明する。図１４は、本実施形態の光源モジュール１００の模式図である。図１４（ａ）は、本実施形態の光源モジュール１００の模式図であり、図１４（ｂ）は、図１４（ａ）の一部の領域ＸＩＶＢを拡大した模式図である。
【０１５２】
図１４（ａ）および図１４（ｂ）に示すように、光源モジュール１００において、切断部１１２ａおよび切断部１１２ｂは、基板１１０の中央に配置される。このため、切断部１１２ａおよび切断部１１２ｂの一方に沿って基板１１０を切断すると、基板１１０は略２等分される。ここでは、複数の光源１２０は偶数個である。切断部１１２ａおよび切断部１１２ｂは、複数の光源１２０を２等分する位置に配置される。
【０１５３】
また、図１４（ａ）に示すように、基板１１０の長手方向の端部に切断部１１２ｃが設けられる。切断部１１２ｃは、光源１２０Ｌと端部ａ３との間に位置する。
【０１５４】
光源１２０は、基板１１０の長手方向（Ｘ方向）に沿って一列に配列される。隣接する２つの光源１２０の間隔は間隔Ｄである。
【０１５５】
光源１２０Ｆと端部ａ１との間の長さは、長さＤａである。また、光源１２０Ｌと端部ａ３との間の長さは、長さＤｂである。
【０１５６】
切断部１１２ａは、光源１２０Ｇに隣接する。光源１２０Ｇと切断部１１２ａとの間の長さは長さＤａである。また、切断部１１２ｂは、光源１２０Ｍに隣接する。切断部１１２ｂと光源１２０Ｍとの間の長さは長さＤａである。
【０１５７】
なお、切断部１１２ａと切断部１１２ｂとによって規定される領域のＸ方向に沿った長さは長さＤｃである。間隔Ｄは、長さＤａと長さＤａと長さＤｃとの和に等しい。
【０１５８】
例えば、長さＤｃは長さＤａと等しいことが好ましい。また、長さＤａと長さＤｃとの和は、長さＤｂと等しいことが好ましい。
【０１５９】
図１４（ｃ）に示すように、基板１１０を切断部１１２ｂにおいて切断すると、基板１１０から基板１１０ｐおよび基板１１０ｑが形成される。
【０１６０】
基板１１０ｐにおいて、一列に配列された光源１２０のうち光源１２０Ｆが一方側の端部に位置し、光源１２０Ｇが、他方側の端部に位置する。ここで、光源１２０Ｆと端部ａ１との間の長さは、長さＤａである。また、光源１２０Ｇと端部ａ３との間の長さは、長さＤａと長さＤｃとの和となり、長さＤｂである。さらに、基板１１０ｐを切断部１１２ａに沿って切断すると、光源１２０Ｌと基板１１０ｐの端部ａ３との間の長さを長さＤａにまで短くできる。
【０１６１】
また、基板１１０ｑを切断部１１２ｃに沿って切断すると、光源１２０Ｌと基板１１０ｑの端部ａ３との間の長さをさＤａにまで短くできる。この場合、基板１１０ｐの端部ａ１と光源１２０Ｆとの間の距離を基板１１０ｐの端部ａ３と光源１２０Ｇとの間の距離と揃えることができ、光源１２０を基板１１０ｐの端部にまで配置できる。このため、本実施形態の光源モジュール１００は、端部における光量の不足を抑制できる。
【０１６２】
なお、図１４（ｃ）では、図１４（ａ）および図１４（ｂ）の基板１１０を切断して分離したが、図１４（ａ）および図１４（ｂ）の基板１１０を２つ隣接させて光源モジュール１００を作製してもよい。
【０１６３】
図１４（ｄ）に示すように、本実施形態の光源モジュール１００を作製するために光源１２０の配置された基板１１０Ａと、光源１２０の配置された基板１１０Ｂとを用意する。基板１１０Ａおよび基板１１０Ｂは、図１４（ａ）および図１４（ｂ）に示した基板１１０と同じ形状を有しており、基板１１０Ａおよび基板１１０Ｂにはそれぞれ同じ数の光源１２０が配置される。
【０１６４】
基板１１０Ａにおいて、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、光源１２０Ｌと端部ａ３との間の長さは、長さＤｂである。
【０１６５】
また、基板１１０Ｂにおいても、光源１２０は、基板１１０の長手方向（Ｘ方向）に沿って一列に配列される。ここで、一列に配列された光源１２０のうち一方側の端部に位置する光源を光源１２０Ｆと示し、他方側の端部に位置する光源を光源１２０Ｌと示す。光源１２０Ｆと端部ａ１との間の長さは、長さＤａである。また、光源１２０Ｌと端部ａ３との間の長さは、長さＤｂである。
【０１６６】
この場合でも、基板１１０Ａの端部ａ３を基板１１０Ｂの端部ａ１と当接して光源モジュール１００を作製することにより、より長いライン光源を作製できる。さらに、基板１１０Ｂを切断部１１２ｃに沿って切断すると、光源１２０Ｌと基板１１０Ｂの端部ａ３との間の長さを長さＤａにまで短くできる。
【０１６７】
なお、図１〜図１４に示した光源モジュール１００において、基板１１０は、一方向に直線状に延びた形状を有していたが、本実施形態はこれに限定されない。基板１１０は、曲線状に延びた形状を有してもよい。
【０１６８】
次に、図１５を参照して、光源モジュール１００を説明する。図１５は、本実施形態の光源モジュール１００の模式図である。
【０１６９】
図１５（ａ）に示すように、基板１１０は、薄板状かつ扇形状である。基板１１０の主面１１０ａは、側端部ａ５と、内周端部ａ６と、側端部ａ７と、外周端部ａ８とを有する。内周端部ａ６および外周端部ａ８は、側端部ａ５および側端部ａ７をそれぞれ介して連絡する。基板１１０の内周端部ａ６は、ある中心点（仮想中心点）を基準とした円弧形状であり、基板１１０の外周端部ａ８とは、同じ中心点を基準とした円弧形状である。
【０１７０】
基板１１０には、複数の光源１２０が配置される。複数の光源１２０は、仮想中心点からの同一距離だけ離れた位置に配置される。光源１２０は、間隔Ｄだけ離れて配置される。
【０１７１】
ここでは、基板１１０には、３つの光源１２０が配置される。例えば、３つの光源１２０は、中心角で３０°離れた位置に配置される。
【０１７２】
基板１１０には、切断部１１２ａおよび切断部１１２ｂが設けられる。切断部１１２ａは、側端部ａ５と一方側の光源１２０のとの間に位置する。切断部１１２ｂは、側端部ａ７と他方側の光源１２０のとの間に位置する。なお、ここでは、側端部ａ５と一方側の光源１２０との間の距離（長さＤｂ）は、側端部ａ７と他方側の光源１２０との間の距離（長さＤｂ）と等しい。
【０１７３】
また、長さＤｂと長さＤｂとの和は間隔Ｄと等しい。このため、光源１２０の配置された基板１１０を、円周方向に複数配列することにより、より多くの光源１２０を一列に配列された光源モジュール１００を構成できる。
【０１７４】
なお、図１５（ａ）に示した基板１１０を複数用いて、光源モジュール１００を作製できる。光源モジュール１００は、図１５（ａ）に示した３つの基板１１０から構成できる。ここでは、説明の便宜上、３つの基板１１０のうちの１つの基板を基板１１０Ａとし、他の基板を基板１１０Ｂとし、残りの基板を基板１１０Ｃとする。
【０１７５】
図１５（ｂ）に示すように、本実施形態の光源モジュール１００を作製するために光源１２０の配置された基板１１０Ａと、光源１２０の配置された基板１１０Ｂと、光源１２０の配置された基板１１０Ｃとを用意する。基板１１０Ａ、基板１１０Ｂおよび基板１１０Ｃは、図１５（ａ）に示した基板１１０と同じ形状を有しており、基板１１０Ａ、基板１１０Ｂおよび基板１１０Ｃにはそれぞれ同じ数の光源１２０が配置される。
【０１７６】
図１５（ｃ）に示すように、基板１１０Ａと基板１１０Ｂと基板１１０Ｃとを隣接して配置して基板１１０Ａ〜基板１１０Ｃから光源モジュール１００を作製する。基板１１０Ｂは、基板１１０Ａおよび基板１１０Ｃに隣接する。
【０１７７】
ここでは、基板１１０Ａの側端部ａ７は、基板１１０Ｂの側端部ａ５と当接する。基板１１０Ａにおいて、他方側の光源１２０と側端部ａ７との間の長さは、長さＤｂである。基板１１０Ｂにおいて、一方側の光源１２０と側端部ａ５との間の長さは、長さＤｂである。また、長さＤｂと長さＤｂとの和は間隔Ｄと等しい。このため、光源１２０の配置された基板１１０Ａと基板１１０Ｂを円周方向に隣接して配置することにより、隣接する基板１１０Ａと基板１１０Ｂにわたって光源１２０の間隔を一定にできる。
【０１７８】
同様に、基板１１０Ｂの側端部ａ７は、基板１１０Ｃの側端部ａ５と当接する。このため、光源１２０の配置された基板１１０Ｂと基板１１０Ｃを円周方向に隣接して配置することにより、隣接する基板１１０Ｂと基板１１０Ｃにわたって光源１２０の間隔を一定にできる。
【０１７９】
また、図１５（ｃ）に示すように、基板１１０Ａの切断部１１２ａが切断され、基板１１０Ｃの切断部１１２ｂが切断される。この場合、基板１１０Ａ〜基板１１０Ｃの開口領域を拡大できる。
【０１８０】
なお、図１５に示した光源モジュール１００では、基板１１０Ａにおいて切断部１１２ａおよび基板１１０Ｃの切断部１１２ｂにおいて切断される一方で、基板１１０Ｂでは、切断部１１２ａおよび切断部１１２ｂのいずれも切断されなかったが、本実施形態はこれに限定されない。光源モジュール１００に含まれるすべての基板１１０はいずれかの切断部において切断されてもよい。
【０１８１】
次に、図１６および図１７を参照して、光源モジュール１００を説明する。図１６（ａ）は、光源モジュール１００を作製するための基板１１０の模式図である。
【０１８２】
図１６（ａ）に示すように、基板１１０は、薄板状かつ円弧状である。基板１１０の主面１１０ａは、側端部ａ５と、内周端部ａ６と、側端部ａ７と、外周端部ａ８とを有する。内周端部ａ６および外周端部ａ８は、側端部ａ５および側端部ａ７をそれぞれ介して連絡する。基板１１０の内周端部ａ６は、ある中心点（仮想中心点）を基準とした半円形状であり、基板１１０の外周端部ａ８とは、同じ中心点を基準とした半円形状である。
【０１８３】
複数の光源１２０は、基板１１０の主面１１０ａに設けられる。光源１２０は、基板１１０の円周方向に沿って一列に配列される。ここで、円周方向に沿って一列に配列された光源１２０のうち一方側の端部に位置する光源を光源１２０Ｆと示し、他方側の端部に位置する光源を光源１２０Ｌと示す。図１６（ａ）では、光源１２０Ｆは、側端部ａ５に隣接し、光源１２０Ｌは、側端部ａ７に隣接する。
【０１８４】
基板１１０には、切断部１１２ａおよび切断部１１２ｂが設けられる。切断部１１２ａは、側端部ａ５と光源１２０Ｆとの間に位置する。また、切断部１１２ｂは、側端部ａ７と光源１２０Ｌとの間に位置する。
【０１８５】
光源１２０は、隣接する２つの光源１２０の間隔が一定になるように配列される。例えば、隣接する２つの光源１２０の間隔は間隔Ｄである。
【０１８６】
光源１２０Ｆと側端部ａ５との間の長さは、長さＤａである。また、光源１２０Ｌと側端部ａ７との間の長さは、長さＤｂである。なお、長さＤｂは、長さＤａよりも大きい。
【０１８７】
図１６（ｂ）に示すように、本実施形態の光源モジュール１００を作製するために光源１２０の配置された基板１１０Ａと、光源１２０の配置された基板１１０Ｂとを用意する。基板１１０Ａおよび基板１１０Ｂは、図１６（ａ）に示した基板１１０と同じ形状を有しており、基板１１０Ａおよび基板１１０Ｂにはそれぞれ同じ数の光源１２０が配置される。
【０１８８】
図１７（ａ）および図１７（ｂ）に示すように、基板１１０Ａと基板１１０Ｂと基板１１０Ｃとを隣接して配置して基板１１０Ａおよびと基板１１０Ｂから光源モジュール１００を作製する。
【０１８９】
ここでは、基板１１０Ａの側端部ａ７は、基板１１０Ｂの側端部ａ５と当接する。基板１１０Ａにおいて、他方側の光源１２０と側端部ａ７との間の長さは、長さＤｂである。基板１１０Ｂにおいて、一方側の光源１２０と側端部ａ５との間の長さは、長さＤａである。また、長さＤｂと長さＤａとの和は間隔Ｄと等しい。このため、光源１２０の配置された基板１１０Ａと基板１１０Ｂを円周方向に隣接して配置することにより、隣接する基板１１０Ａと基板１１０Ｂにわたって光源１２０の間隔を一定にできる。
【０１９０】
また、図１７（ａ）および図１７（ｂ）に示すように、基板１１０Ａの切断部１１２ａが切断され、基板１１０Ｃの切断部１１２ｂが切断される。この場合、基板１１０Ａ〜基板１１０Ｃの開口領域を拡大できる。
【０１９１】
以上、図面を参照して本発明の実施形態を説明した。ただし、本発明は、上記の実施形態に限定されるものではなく、その要旨を逸脱しない範囲で種々の態様において実施形態として実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果を実質的に逸脱しない範囲で種々の変更が可能である。
【０１９２】
例えば、図１〜図１７を参照した上述の説明では、１つの基板１１０には複数の光源１２０が設けられたが、本実施形態はこれに限定されない。１つの基板１１０には１つの光源１２０が設けられてもよい。
【産業上の利用可能性】
【０１９３】
本発明は、光源モジュールに有用である。
【符号の説明】
【０１９４】
１００    光源モジュール
１１０    基板
１２０    光源
【図１】
2020181782.tif 000003
【図２】
2020181782.tif 000004
【図３】
2020181782.tif 000005
【図４】
2020181782.tif 000006
【図５】
2020181782.tif 000007
【図６】
2020181782.tif 000008
【図７】
2020181782.tif 000009
【図８】
2020181782.tif 000010
【図９】
2020181782.tif 000011
【図１０】
2020181782.tif 000012
【図１１】
2020181782.tif 000013
【図１２】
2020181782.tif 000014
【図１３】
2020181782.tif 000015
【図１４】
2020181782.tif 000016
【図１５】
2020181782.tif 000017
【図１６】
2020181782.tif 000018
【図１７】
2020181782.tif 000019